(57)【要約】【課題】  隔壁底部の液溜りによる発光ムラを防止し、リークのない均一な発光が可能な有機ＥＬ素子を提供する。【解決手段】  基板と、この基板上に設けられたパターン状の第一電極と、これら第一電極の間に設けられた隔壁と、第一の電極上であって、隔壁で区画された領域に設けられた有機発光媒体層と、この有機発光媒体層を挟んで第一の電極に対向する第二の電極を具備する有機エレクトロルミネッセンス素子において、隔壁が第一隔壁と該第一隔壁上の第二隔壁からなり、該第二隔壁表面における水との接触角が５０゜以上であり、第一隔壁の上部に対して第二隔壁が内側に設けられていることを特徴とする有機エレクトロルミネッセンス素子を提供する。【選択図】図１
2007305331.tif 000002
【特許請求の範囲】
【請求項１】
基板と、この基板上に設けられたパターン状の第一電極と、これら第一電極の間に設けられた隔壁と、第一の電極上であって、隔壁で区画された領域に設けられた有機発光媒体層と、この有機発光媒体層を挟んで第一の電極に対向する第二の電極を具備する有機エレクトロルミネッセンス素子において、
隔壁が第一隔壁と該第一隔壁上の第二隔壁からなり、
該第二隔壁表面における水との接触角が５０゜以上であり、
第一隔壁の上部に対して第二隔壁が内側に設けられていることを特徴とする有機エレクトロルミネッセンス素子。
【請求項２】
前記第一隔壁が第一電極の端部を覆っており、且つ、第一電極と第一隔壁の重なり幅が０．１μｍ以上５００μｍ以下であることを特徴とする請求項１記載の有機エレクトロルミネッセンス素子。
【請求項３】
前記第一隔壁の高さが第一電極の高さよりも大きく、且つ、１μｍ以下であることを特徴とする請求項１または２記載の有機エレクトロルミネッセンス素子。
【請求項４】
前記第二隔壁の幅が、第一隔壁の幅より狭いことを特徴とする請求項１に記載の有機エレクトロルミネッセンス素子。
【請求項５】
前記第一隔壁と第二隔壁をあわせた隔壁の高さは０．２μｍ以上５μｍ以下であることを特徴とする請求項１乃至４のいずれかに記載の有機エレクトロルミネッセンス素子。
【請求項６】
前記第一隔壁が無機絶縁物若しくは感光性樹脂からなることを特徴とする請求項１乃至５のいずれかに記載の有機エレクトロルミネッセンス素子。
【請求項７】
前記第二隔壁が、ポジ型感光性樹脂を硬化した樹脂表面にＯ2プラズマ処理とＣＦ4プラズマ処理を施したものであることを特徴とする請求項１乃至６のいずれかに記載の有機エレクトロルミネッセンス素子。
【請求項８】
前記有機発光媒体層の中の一層が、ウエットコート方式で形成されたもの乾燥したものであることを特徴とする請求項１乃至６のいずれかに記載の有機エレクトロルミネッセンス素子。
【発明の詳細な説明】
【技術分野】
【０００１】
本発明は、有機エレクトロルミネッセンス素子に関する。さらに詳しくは、有機発光媒体層をウェット方式で（例えば：スピンコート法、ダイコート法、ディップコート法、吐出コート法、インクジェット法、スプレーコート法、ロールコート法、バーコート法または印刷法などの塗布方法）形成する有機エレクトロルミネッセンス素子に関する（以下、エレクトロルミネッセンスをＥＬと称す）。
【背景技術】
【０００２】
近年、情報表示端末のディスプレイ用途として、大小の光学式表示装置が使用されるようになってきている。中でも、有機ＥＬ素子を用いた表示装置は、自発光型であるため、応答速度が速く、消費電力も低いことから次世代のディスプレイとして注目されている。
【０００３】
有機ＥＬ素子は、有機発光媒体層を２つの電極とで挟んだ単純な基本構造を有している。この電極間に電圧を印加し、一方の電極から注入されるホールと、他方の電極から注入される電子とが発光層内で再結合する際に生じる光を画像表示や光源として用いるというものである。なお、有機発光媒体層はこの有機発光層単独から構成される場合もあるが、これに加えて発光効率を向上させる発光補助層を積層した積層構造から構成されている場合もある。発光補助層としては、正孔輸送層、正孔注入層、電子輸送層、電子注入層等がある。
【０００４】
有機ＥＬ素子で何らかの画像表示をおこなうためには画素毎に発光のオンオフを調整する必要がある。そのため、少なくとも一方の電極はパターニングされて設けられる必要がある。例えば、先に基板上に形成される第一電極をストライプ状に構成すると共に、第二電極をこれと交差する方向のストライプ状に構成し、これら第一電極と第二電極の交点を画素として画面表示している。
【０００５】
この有機ＥＬ素子の製造工程を説明すると、まず、基板上に、ストライプ状の前記第一電極を形成する。この第一電極は陽極として利用されることが多い。また、その材質としてはＩＴＯ薄膜が好便に利用されている。
【０００６】
次に、ストライプ状のこれら第一電極の間に隔壁を設ける。この隔壁は、隣接する画素の有機発光層同士の混色を防ぐと共に、第一の電極と第二の電極との短絡を防ぐものである。このため隔壁は電気絶縁材料で構成される。
【０００７】
そして、これらの隔壁の間、すなわち、画素部位に有機発光媒体層を形成する。有機発光媒体層を形成する方法にはドライコート方式やウェットコート方式があるが、大面積の有機ＥＬ素子を製造しやすい点で、ウェットコート法が有利である。ウェットコート方式としては、スピンコート法、ダイコート法、ディップコート法、吐出コート法、スプレーコート法、ロールコート法、バーコート法、印刷法などがある。
【０００８】
さらに、有機発光層をＲＧＢ３色に塗り分けしたりするためには、塗り分け・パターニングを得意とする印刷法による薄膜形成が最も有効であると考えられる。各種印刷法のなかでも、ガラスを基板とする有機ＥＬ素子やディスプレイでは、グラビア印刷法等のように金属製の印刷版等の硬い版を用いる方法は不向きであり、弾性を有するゴムブランケットを用いるオフセット印刷法や同じく弾性を有するゴム版や樹脂版を用いる凸版印刷法が適当である。実際にこれらの印刷法による試みとして、オフセット印刷による方法（特許文献１）、凸版印刷による方法（特許文献２）などが提唱されている。
【０００９】
そして、有機発光媒体層を形成した後、蒸着法等のドライコート方式によって第二電極を形成する。最後に封止することによって、有機ＥＬ素子を製造することができる。
【００１０】
以下に公知文献を記す。
【特許文献１】特開２００１−９３６６８号公報
【特許文献２】特開２００１−１５５８５８号公報
【発明の開示】
【発明が解決しようとする課題】
【００１１】
ところで、ウエットコート方式で有機発光媒体層を形成する場合、その材料と前記隔壁との親和性が高いと隔壁近傍において液溜りが発生しやすい。このため、有機発光媒体層の膜厚が隔壁近傍で大きくなり、膜厚が不均一になってしまう。画素内において、有機発光媒体層の膜厚が不均一になると、発光ムラが生じるという問題点があった。例えば、導電性を有する（３，４−エチレンジオキシチオフェン）（以下ＰＥＤＯＴと称する）とポリスチレンスルホン酸（以下ＰＳＳと称する）の混合物（以下ＰＥＤＯＴ／ＰＳＳと称する）からなる正孔輸送層形成材料を、溶媒に分散し正孔輸送インクとし、該塗工液を用いてスピンコート法により正孔輸送層形成する場合には、隔壁の上にも正孔輸送層が形成される。隔壁上にも正孔輸送層が連続して形成された場合、発光させるために電極間に電流を流した際に、リークの原因になる問題点があった。そこで、本発明では、隔壁を工夫することによって隔壁底部の液溜りによる発光ムラを防止し、リークのない均一な発光が可能な有機エレクトロルミネッセンス（ＥＬ）素子を提供することを目的とする。
【課題を解決するための手段】
【００１２】
請求項１としては、基板と、この基板上に設けられたパターン状の第一電極と、これら第一電極の間に設けられた隔壁と、第一の電極上であって、隔壁で区画された領域に設けられた有機発光媒体層と、この有機発光媒体層を挟んで第一の電極に対向する第二の電極を具備する有機エレクトロルミネッセンス素子において、隔壁が第一隔壁と該第一隔壁上の第二隔壁からなり、該第二隔壁表面における水との接触角が５０゜以上であり、第一隔壁の上部に対して第二隔壁が内側に設けられていることを特徴とする有機エレクトロルミネッセンス素子である。
【００１３】
請求項２としては、前記第一隔壁が第一電極の端部を覆っており、且つ、第一電極と第一隔壁の重なり幅が０．１μｍ以上５００μｍ以下であることを特徴とする請求項１記載の有機エレクトロルミネッセンス素子である。
【００１４】
請求項３としては、前記第一隔壁の高さが第一電極の高さよりも大きく、且つ、１μｍ以下であることを特徴とする請求項１または２記載の有機エレクトロルミネッセンス素子である。
【００１５】
請求項４としては、前記第二隔壁の幅が、第一隔壁の幅より狭いことを特徴とする請求項１に記載の有機エレクトロルミネッセンス素子である。
【００１６】
請求項５としては、前記第一隔壁と第二隔壁をあわせた隔壁の高さは０．２μｍ以上５μｍ以下であることを特徴とする請求項１乃至４のいずれかに記載の有機エレクトロルミネッセンス素子である。
【００１７】
請求項６としては、前記第一隔壁が無機絶縁物若しくは感光性樹脂からなることを特徴とする請求項１乃至５のいずれかに記載の有機エレクトロルミネッセンス素子である。
【００１８】
請求項７としては、前記第二隔壁が撥インク性を有する各種ネガ型感光性樹脂、シリコンゴム、フッ素樹脂などの撥インク性を有する材料からなることとポジ型感光性樹脂で形成された第二隔壁に対して、Ｏ2プラズマ処理とＣＦ4プラズマ処理を順次おこなうことによって、撥インク性を持たせることを特徴とする請求項１乃至６のいずれかに記載の有機エレクトロルミネッセンス素子である。
【００１９】
請求項８としては、前記有機発光媒体層の中の一層が、ウエットコート方式で形成されたものであることを特徴とする請求項１乃至６のいずれかに記載の有機エレクトロルミネッセンス素子である。
【発明の効果】
【００２０】
本発明によれば、短絡防止用の隔壁に２層構造を持たせることによって、ウェット方式で正孔輸送層（ＰＥＤＯＴ／ＰＳＳ層）といった有機発光媒体層を形成する時に隔壁底部の液溜りを隔壁の下層部分に留まらせることができる。また、第二隔壁に撥インク性を持たせることによって、スピンコート法といったウェットコート方式で形成された正孔輸送層（ＰＥＤＯＴ／ＰＳＳ層）を第二隔壁の頂部で切断することができる。これらによって、発光部に位置する有機発光媒体層の膜厚の均一性が向上され、リークも、発光ムラもない有機エレクトロルミネッセンス素子を製造することができる。
【発明を実施するための最良の形態】
【００２１】
以下、本発明を図１を使い製造工程に従って詳細に説明する。
【００２２】
まず、第一電極が陽極、第二電極が陰極の場合について説明する。
【００２３】
本発明のＥＬ表示素子における透光性絶縁基板１としては、石英基板、ガラス基板、プラスチック基板等が使用できるが、本発明はこれらに限定されるものではない。
【００２４】
次に、基板１上に第一電極を成膜し、フォトリソグラフィ等によって複数の第一電極ライン２を形成する（図１（ａ）参照）。
【００２５】
本発明における陽極の材料としてはＩＴＯ（インジウムスズ複合酸化物）やインジウム亜鉛複合酸化物、亜鉛アルミニウム複合酸化物等の透明電極材料が使用できる。好ましいのはＩＴＯである。
【００２６】
なお、抵抗を下げるために透明電極には銅、クロム、アルミニウム、チタン等の金属もしくはこれらの積層物を補助電極として部分的に併設させることができる。
【００２７】
次に、第一電極ラインと平行するように複数の第一電極ラインの端部を覆う第一隔壁３１を形成する膜を成膜する。その形成方法は、材料に応じて、抵抗加熱蒸着法、電子ビーム蒸着法、反応性蒸着法、イオンプレーティング法、スパッタリング法を用いることができる。
【００２８】
次に、フォトリソグラフィ、リフトオフ等によって、複数の第一電極ラインの端部を覆う第一隔壁３１を形成する（図１（ｂ））。
【００２９】
本発明における第一隔壁の材料としては、ＳｉＯ2、Ａｌ2Ｏ3などの無機絶縁物、感光性樹脂が使用できる。
【００３０】
次に、撥インク性感光性樹脂を塗布、プリベーク、露光、現像、ポストベーク工程により第二隔壁３２を形成して、隔壁３を完成する（図１（ｃ））。
【００３１】
本発明における第二隔壁の材料としては、撥インク性を有する各種ネガ型感光性樹脂、シリコンゴム、フッ素樹脂などが使用できる。また、ポジ型感光性樹脂で形成された第二隔壁に対して、Ｏ2プラズマ処理とＣＦ4プラズマ処理をすることによって、撥インク性を持たせることもできる。
【００３２】
本発明の隔壁の役割が三つある。一つはギザギザの第一電極の端部を覆うことによって、陰極との短絡を防止することである。もう一つは有機発光媒体層を印刷で形成する時の仕切りバンクになることである。また、第二隔壁表面が撥インク性であるため、スピンコート法で形成したＰＥＤＯＴ／ＰＳＳ層が第二隔壁の上に膜を形成できなくなることによって、リークを防止することができる。ＰＥＤＯＴ／ＰＳＳは水系の溶媒に分散されインク化され、スピンコート法により形成される。本発明者は、撥インキ性を有する第二隔壁表面の水との接触角を５０゜以上とすることにより、正孔輸送インキに対して撥インク性を示し、形成されたＰＥＤＯＴ／ＰＳＳ層が第二隔壁上に形成されずに、分断され、発光させた際にリークを防止できることを発見した。
【００３３】
本発明の隔壁３では、第一隔壁より短く、撥インク性の第二隔壁を有することにより、隔壁底部の液溜りを第一隔壁の部分に止まらせ、発光部である有機発光媒体層の膜厚の均一性を向上することができる。それによって、有機発光媒体層の膜厚の不均一による発光ムラをなくすことができる。
【００３４】
本発明において、第一隔壁の幅は、ｃ＋２ｂで表される。このとき、ｃは第一電極の線間の間隔である。ｂは第一電極の線幅方向の端部を覆う部分の幅である。第一電極の線幅方向の端部を覆う幅ｂは、好ましくは０．１μｍ以上であり、さらに好ましくは１μｍ以上であることが好ましい。また、５００μｍ以下であることが好ましい。幅ｂが０．１μｍ未満の場合、隔壁が第一電極端部を覆う効果がなくなってしまい、陰極との短絡が発生する可能性がある。また、幅ｂが５００μｍを超えるような場合には、発光領域が小さくなるという問題がある。
【００３５】
また、第一隔壁の高さａは、第一電極の高さよりも大きく、１μｍ以下であることが好ましい。第一隔壁の高さａが、第一電極の高さ以下の場合、第一電極端部を覆うことができなくなってしまうことがある。また、高さａが１μｍより大きくなると、第一隔壁と第一電極との間に正孔輸送インキの液溜りが発生してしまうことがある。
【００３６】
また、第二隔壁の役割は形成された正孔輸送層（ＰＥＤＯＴ／ＰＳＳ層）を切断することであり、幅に特に制限はないが、第一隔壁の幅より狭ければよい。第一隔壁と第二隔壁をあわせた隔壁の高さは０．２μｍ以上５μｍ以下であることが好ましい。第一隔壁と第二隔壁を合わせた隔壁の高さが０．２μｍ未満の場合、隔壁が形成された有機発光媒体層よりも低くなってしまうことがある。また、５μｍを超えるような場合、発光層を溶媒に溶解または分散させてインキ化し、該インキをもちいて印刷法により形成する場合に、隔壁によって形成される被印刷基板の凹凸が大きく、インキパターンが印刷しにくくなるという問題がある。
【００３７】
次に、有機発光媒体層中の正孔輸送層７のＰＥＤＯＴ／ＰＳＳ層をスピンコート法で形成する（図１（ｄ））。ＰＥＤＯＴ／ＰＳＳは、水やアルコール類といった水系の溶媒に溶解・分散され、インキとなり、スピンコート法により形成され、ＰＥＤＯＴ／ＰＳＳ層となる。なお、本発明では、正孔輸送インキをウエットコート方式で形成する際に、スピンコート法の他にも、ダイコート法、ディップコート法、吐出コート法等を用いても良い。
【００３８】
次に、正孔輸送層４以外の有機発光媒体層５を形成する（図１（ｅ）参照）。有機発光媒体層は少なくとも一層の発光層を有する構造で、正孔輸送層と発光層、発光層と電荷輸送層、正孔輸送層と発光層と電荷輸送層などの多層構造でもかまわない。
【００３９】
本発明では、有機発光媒体層の中に少なくとも、一層をスピンコート法、ダイコート法、ディップコート法、吐出コート法、インクジェット法、スプレーコート法、ロールコート法、バーコート法または印刷法などのウェット方式で形成する。
【００４０】
また、有機発光媒体層に用いられる有機発光材料としては低分子発光材料と高分子発光材料に大別される。低分子発光材料としては、９，１０−ジアリールアントラセン誘導体、ピレン、コロネン、ペリレン、ルブレン、１，１，４，４−テトラフェニルブタジエン、トリス（８−キノリノラート）アルミニウム錯体、トリス（４−メチル−８−キノリノラート）アルミニウム錯体、ビス（８−キノリノラート）亜鉛錯体、トリス（４−メチル−５−トリフルオロメチル−８−キノリノラート）アルミニウム錯体、トリス（４−メチル−５−シアノ−８−キノリノラート）アルミニウム錯体、ビス（２−メチル−５−トリフルオロメチル−８−キノリノラート）［４−（４−シアノフェニル）フェノラート］アルミニウム錯体、ビス（２−メチル−５−シアノ−８−キノリノラート）［４−（４−シアノフェニル）フェノラート］アルミニウム錯体、トリス（８−キノリノラート）スカンジウム錯体、ビス〔８−（パラ−トシル）アミノキノリン〕亜鉛錯体及びカドミウム錯体、１，２，３，４−テトラフェニルシクロペンタジエン、ペンタフェニルシクロペンタジエン、ポリ−２，５−ジヘプチルオキシ−パラ−フェニレンビニレン等が挙げられる。
【００４１】
高分子発光材料としては、ポリパラフェニレン、クマリン系、ペリレン系、ピラン系、アンスロン系、ポルフィレン系、キナクリドン系、Ｎ，Ｎ’−ジアルキル置換キナクリドン系、ナフタルイミド系、Ｎ，Ｎ’−ジアリール置換ピロロピロール系、イリジウム錯体系等の発光性色素をポリスチレン、ポリメチルメタクリレート、ポリビニルカルバゾール等の高分子中に分散させたものや、ポリアリーレン系、ポリアリーレンビニレン系やポリフルオレンなどが挙げられる。低分子型の有機発光材料は蒸着法といった真空プロセスによって形成されることが多く、本発明では高分子型の有機発光材料が好ましい。
【００４２】
有機発光材料を溶解分解させる有機溶剤としてはトルエン、キシレン、アセトン、アニソール、メチルエチルケトン、メチルイソブチルケトン、シクロヘキサノン等の単独またはこれらの混合溶媒が挙げられる。中でも、トルエン、キシレン、アニソールといった芳香族有機溶剤が有機発光材料の溶解性の面から好適である。
【００４３】
次に、蒸着で線状の第二電極６を形成する（（図１（ｅ）参照）。第二電極の材料としては電子注入効率の高い物質を用いる。具体的にはＭｇ，Ａｌ，Ｙｂ等の金属単体を用いたり、有機発光媒体層５と接する界面にＬｉや酸化Ｌｉ，ＬｉＦ等の化合物を１ｎｍ程度挟んで、安定性・導電性の高いＡｌやＣｕを積層して用いる。
【００４４】
または電子注入効率と安定性を両立させるため、低仕事関数なＬｉ，Ｍｇ，Ｃａ，Ｓｒ，Ｌａ，Ｃｅ，Ｅｒ，Ｅｕ，Ｓｃ，Ｙ，Ｙｂ等の金属１種以上と、安定なＡｇ，Ａｌ，Ｃｕ等の金属元素との合金系が用いられる。具体的にはＭｇＡｇ，ＡｌＬｉ，ＣｕＬｉ等の合金が使用できる。
【００４５】
第二電極の形成方法は、材料に応じて、抵抗加熱蒸着法、電子ビーム蒸着法、反応性蒸着法、イオンプレーティング法、スパッタリング法を用いることができる。陰極の厚さは、１０ｎｍ〜１μｍ程度が望ましい。
【００４６】
また一般的には、最後に封止層を形成し、水分や酸素による陰極や発光媒体の劣化を防
止する。
【００４７】
第一電極を陰極、第二電極を陽極とした場合も同様に作製できることは言うまでもない。
【実施例】
【００４８】
まず、ガラス基板１上にスパッタリングで第一電極としてＩＴＯ層を形成した。さらに、透明性と導電性を向上させるために、空気中で加熱処理を行いＩＴＯを結晶化した。
【００４９】
次に、フォトリソグラフィ及びウェットエッチングによってＩＴＯをパターニングし、ライン／スペースは２００μｍ／３０μｍの第一電極ライン２を形成した（図１（ａ）参照）。
【００５０】
その上にポジ型感光性樹脂をスピンコート法により、塗布してから、プリベークし、露光・現像・ポストベークによって、リフトオフ用のパターンを形成し、スパッタリング法でＳｉＯ2膜を形成してから、リフトオフ用のパターンを除去することによって第一隔壁３１を形成した（図１（ｂ）参照）。
【００５１】
第一隔壁の高さは５０ｎｍで、ＩＴＯの幅方向の端部を覆う部分の幅は１０μｍであった。
【００５２】
次に、ポジ型感光性樹脂を塗布、プリベーク、露光、現像、ポストベーク工程により高さ２μｍ、幅１０μｍの第二隔壁３２を形成して、隔壁３を完成した（図１（ｃ））。
【００５３】
次に、隔壁６付き基板をＯ2１分間、ＣＦ4３分間の条件で順次プラズマ処理することによって、第二隔壁６２に撥インク性を持たせた。このとき、第二隔壁表面の水との接触角は、５５゜であった。
【００５４】
次に、ポリ（３，４−エチレンジオキシチオフェン）とポリスチレンスルホン酸（以下ＰＥＤＯＴ／ＰＳＳと称する）の１ｗｔ％水分散溶液を用い、スピンコート法を用いて厚み８０ｎｍで塗布して正孔輸送層４を形成した（図１（ｄ）参照）。
【００５５】
有機発光媒体層５として、高分子発光材料であるポリ［２−メトキシ−５−（２’−エチルヘキシロキシ）−１，４−フェニレンビニレン］（ＭＥＨ−ＰＰＶ）の１．８ｗｔ％ｏ−キシレン溶液を凸版印刷法により膜厚８０ｎｍで形成した（図１（ｅ）参照）。
【００５６】
次いで、陰極である第二電極６としてＭｇＡｇを２元共蒸着により２００ｎｍの厚みをマスク蒸着することで形成した（図１（ｅ）参照）。最後に素子全体を封止して本発明の有機ＥＬ素子を作製した。
【００５７】
得られた有機ＥＬ素子はリークがなく、しかも、発光部からムラなく、均一な発光が観察された。
【図面の簡単な説明】
【００５８】
【図１】本発明の有機ＥＬ素子の製造工程を示す説明図である。
【符号の説明】
【００５９】
１  ガラス基板
２  第一電極
３１第一隔壁
３２第二隔壁
３  隔壁
４  正孔輸送層
５  有機発光媒体層
６  第二電極
【図１】
2007305331.tif 000003